(57)【要約】【課題】選別・減容装置と埋立地の掘削区画及び埋設区画との搬送距離を短くし、その作業性を向上することができる廃棄物処分場の減容処理方法を提供する。【解決手段】埋立地１の掘削区画２４Ａ，２４Ｂ，２４Ｃから掘り起こした廃棄物５を選別・減容装置４により選別・減容処理し、この選別・減容処理した廃棄物１５Ｓ，２２を埋立地１の埋設区画２５Ａ，２５Ｂ，２５Ｃに埋め戻す廃棄物処分場の減容処理方法において、スクリーン選別装置６が掘削区画から離れないように、掘削区画の移動（２４Ａ→２４Ｂ→２４Ｃ）に伴ってスクリーン選別装置６等を移動させて、選別・減容処理を行う。【選択図】図１
2005118663.tif 000002
【特許請求の範囲】
【請求項１】
埋立地の掘削区画から掘り起こした廃棄物を選別・減容装置により選別・減容処理し、この選別・減容処理した廃棄物を埋立地の埋設区画に埋め戻す廃棄物処分場の減容処理方法において、
前記選別装置が前記掘削区画から離れないように、前記掘削区画の移動に伴って前記選別装置を移動させて、選別・減容処理を行うことを特徴とする廃棄物処分場の減容処理方法。
【請求項２】
請求項１記載の廃棄物処分場の減容処理方法において、前記減容装置が前記埋設区画から離れないように、前記埋設区画の移動に伴って前記減容装置を移動させて減容処理を行うことを特徴とする廃棄物処分場の減容処理方法。
【請求項３】
埋立地の掘削区画から掘り起こした廃棄物を選別・減容装置により選別・減容処理し、この選別・減容処理した廃棄物を埋立地の埋設区画に埋め戻す廃棄物処分場の減容処理方法において、
小粒度廃棄物を搬出するアンダーコンベアを前記埋設区画側にむけるように前記選別装置を配置するとともに、少なくともこの選別装置の大粒度廃棄物を排出するオーバーコンベアの排出側近傍に投入口が、前記埋設区画側に排出コンベアがくるように前記減容装置を配置して、
前記掘削区画及び前記埋設区画の移動に伴って、前記選別装置及び前記減容装置を移動させて、選別・減容処理することを特徴とする廃棄物処分場の減容処理方法。
【発明の詳細な説明】
【技術分野】
【０００１】
本発明は、廃棄物処分場の減容処理方法に関するものである。
【背景技術】
【０００２】
近年、廃棄物の排出量の高水準での推移とこれを埋設する廃棄物処分場の設置の減少に伴って、廃棄物処分場の残余容量がひっ迫しており、廃棄物処分場の延命化が要望されている。そこで、埋立地に堆積された廃棄物を掘り起こし、この掘り起こした廃棄物を選別し、選別された土砂のような不燃物は埋立地に埋め戻し、また選別された可燃物は焼却、溶融、圧縮等により減容して埋立地に埋め戻すことで、廃棄物処分場の減容化を図る方法が提唱されている（例えば、特許文献１参照）。
【０００３】
【特許文献１】特開平９−１５０１２５号公報
【発明の開示】
【発明が解決しようとする課題】
【０００４】
一般に上記従来技術のような廃棄物処分場の減容化方法の場合、埋立地から掘り起こした廃棄物は、所定の場所に設置した選別（減容）装置へコンベアやトラック等の搬送手段により搬送され、選別（減容）処理した後、前述の搬送手段により埋立地へと搬送して埋め戻している。このため、減容化する処分場（埋立地）が広大になればなる程、掘削区画及び埋設区画と選別（減容）装置との搬送距離が長くなり、コンベア設備の増設に伴う手間やコストの増大、あるいはトラック運搬の手間の増大が問題になっていた。
【０００５】
本発明は、上記の事柄に基づいてなされたものであり、その目的は、選別・減容装置と埋立地の掘削区画及び埋設区画との搬送距離を短くし、その作業性を向上することができる廃棄物処分場の減容処理方法を提供することにある。
【課題を解決するための手段】
【０００６】
（１）上記目的を達成するために、本発明は、埋立地の掘削区画から掘り起こした廃棄物を選別・減容装置により選別・減容処理し、この選別・減容処理した廃棄物を埋立地の埋設区画に埋め戻す廃棄物処分場の減容処理方法において、
前記選別装置が前記掘削区画から離れないように、前記掘削区画の移動に伴って前記選別装置を移動させて、選別・減容処理を行う。
【０００７】
本発明においては、埋立地の掘削区画から離れないように、掘削区画の移動に伴って選別装置を移動させるので、選別装置と埋立地の掘削区画との搬送距離を短くすることができる。したがって、コンベアやトラック等の搬送手段の手間を軽減し、廃棄物処分場の減容化における作業性を向上することができる。
【０００８】
（２）上記（１）において、好ましくは、前記減容装置が前記埋設区画から離れないように、前記埋設区画の移動に伴って前記減容装置を移動させて減容処理を行う。
【０００９】
これにより、減容装置と埋立地の埋設区画との搬送距離を短くし、廃棄物処分場の減容化における作業性を向上することができる。
【００１０】
（３）上記目的を達成するために、また本発明は、埋立地の掘削区画から掘り起こした廃棄物を選別・減容装置により選別・減容処理し、この選別・減容処理した廃棄物を埋立地の埋設区画に埋め戻す廃棄物処分場の減容処理方法において、小粒度廃棄物を搬出するアンダーコンベアを前記埋設区画側にむけるように前記選別装置を配置するとともに、少なくともこの選別装置の大粒度廃棄物を排出するオーバーコンベアの排出側近傍に投入口が、前記埋設区画側に排出コンベアがくるように前記減容装置を配置して、前記掘削区画及び前記埋設区画の移動に伴って、前記選別装置及び前記減容装置を移動させて、選別・減容処理する。
【発明の効果】
【００１１】
本発明によれば、選別・減容装置と埋立地の掘削区画及び埋設区画との搬送距離を短くし、廃棄物処分場の減容処理における作業性を向上することができる。
【発明を実施するための最良の形態】
【００１２】
以下、本発明の一実施形態を、図面を参照しつつ説明する。
【００１３】
図１は、本発明の廃棄物処分場の減容処理方法の一実施形態が実施される埋立地の全体構造を表す平面図である。
【００１４】
この図１において、１は廃棄物が堆積された堆積区画２（図１中右上斜線で図示）と廃棄物が堆積されていない空区画３とを有する略長方形状の埋立地であり、４は埋立地１の堆積区画２に配置され、例えば公知の掘削用油圧ショベル等（図示せず）により堆積区画２から掘り起こされた廃棄物５（後述の図２参照）を選別・減容処理する選別・減容装置である。
【００１５】
図２は、上記選別・減容装置４の配置構成を一例として表す平面図であり、図３は、図２中矢印III方向から見た自走式スクリーン選別装置の全体構造を表す側面図であり、図４は、図２中矢印IV方向から見た自走式破砕装置の全体構造を表す側面図である。
【００１６】
これら図２〜図４において、６は掘り起こされた廃棄物５をその大きさで選別する自走式スクリーン選別装置であり、７はこの自走式スクリーン選別装置６の投入口（ホッパ）８に廃棄物５を投入するための例えば把持作業具（グラップル）７ａを備えた投入用自走式油圧ショベルであり、９は自走式スクリーン選別装置６で選別された廃棄物（詳細は後述）を破砕減容する自走式破砕装置であり、１０は投入用自走式油圧ショベル７同様の構造を有し、自走式破砕装置９の投入口（ホッパ）１１に前記廃棄物を投入するための例えば把持作業具（グラップル）１０ａを備えた投入用自走式油圧ショベルである。上記選別・減容装置４は、これら自走式スクリーン選別装置６、投入用自走式油圧ショベル７、破砕装置９、及び投入用自走式油圧ショベル１０等で構成されている。
【００１７】
自走式スクリーン選別装置６は、上記投入口８と、この投入口８に投入された廃棄物５をその大きさに応じて例えば３種類の大きさに選別するスクリーン選別部（詳細は図示しないが、例えば複数段配設された櫛歯体の櫛歯の間隙寸法に基づき、廃棄物５をその大きさで選別する構造等）１２と、このスクリーン選別部１２の下方に設けられ左・右の無限軌道履体１３，１３（但し一方の１３のみ図３に図示）を備えた走行体１４と、スクリーン選別部１２で選別された３種類の廃棄物のうち最も粒度の大きい廃棄物１５Ｌを排出するオーバーコンベア１６と、中程度の粒度の廃棄物１５Ｍを排出するミドルコンベア１７と、最も粒度の小さい廃棄物１５Ｓを排出するアンダーコンベア１８とを備えている。
【００１８】
そして、小粒度廃棄物（例えば比較的小粒度の土砂）１５Ｓは埋立地１の覆土等として利用され、中粒度廃棄物１５Ｍ及び大粒度廃棄物１５Ｌは、上記投入用油圧ショベル１０により上記自走式破砕装置９に投入され破砕減容される。なお、図示しないが、中粒度廃棄物１５Ｍ及び大粒度廃棄物１５Ｌは、例えば金属類及びプラスチック類等を選別したり、例えば公知の圧縮装置及び焼却装置等により圧縮減容及び焼却減容されてもよい。
【００１９】
自走式破砕装置９は、上記投入口１１と、この投入口１１に投入された大粒度廃棄物１５Ｌ及び中粒度廃棄物１５Ｍを破砕する破砕部１９と、この破砕部１９の下方に設けられ左・右の無限軌道履体２０，２０（但し一方の２０のみ図４に図示）を備えた走行体２１と、破砕部１９で破砕減容された廃棄物２２を排出する搬出コンベア２３とを備えている。
【００２０】
以上のように構成された選別・減容装置４においては、掘り起こされた廃棄物５が図２中右下側から搬入され集積され、上述のように選別・減容処理された廃棄物１５Ｓ，２２が図２中左側からそれぞれ搬出するように構成配置されている。また、自走式スクリーン選別装置６のアンダーコンベア１８の排出側が後述の埋設区画側（図２中左側）にむけるように配置され、自走式破砕装置９の投入口１１が自走式スクリーン選別装置６のオーバーコンベア１６の排出側近傍に、排出コンベア２３が埋設区画側にむけるように配置されている。
【００２１】
そして、前述の図１に示すように、選別・減容装置４の搬入側（図１及び図２中右下側）と廃棄物５を最初に掘り起こす掘削区画２４Ａ（図１中二点鎖線で示す区画）とが離れないように、かつ、選別・減容装置４の搬出側（図１及び図２中左上側）と選別・減容処理された廃棄物１５Ｓ，２２を最初に埋め戻す埋設区画２５Ａ（すなわち上記空区画３）とが離れないように、選別・減容装置４が埋立地１の堆積区画２に配置されている。
【００２２】
次に、本実施形態による廃棄物処分場の減容処理方法の詳細手順を３段階に分けて説明する。図５は、本実施形態による廃棄物処分場の減容処理方法が実施される埋立地１の第２段階を表す平面図であり、図６は、本実施形態による廃棄物処分場の減容処理方法が実施される埋立地１の第３段階を表す平面図である。
【００２３】
（１）第１段階（前述の図１参照）
埋立地１の第１段階における掘削区画２４Ａを上記掘削用油圧ショベルにより掘り起こし、この掘り起こした廃棄物５を例えばトラック又はコンベア等により上記選別・減容装置４に搬入する（図１中矢印Ａ１参照）。そして、自走式スクリーン選別装置６により大粒度廃棄物１５Ｌ、中粒度廃棄物１５Ｍ、小粒度廃棄物１５Ｓの３種類の大きさに選別し、そのうち大粒度廃棄物１５Ｌ及び中粒度廃棄物１５Ｍを自走式破砕装置９により破砕減容する。この選別・減容処理した廃棄物１５Ｓ，２２を例えばホイールローダ等により（または自走式破砕装置９等から直接排出して）埋設区画２５Ａに搬出し埋め戻す（図１中矢印Ｂ１参照）。このような作業を繰り返し、第１段階における掘削区画２４Ａの全域が掘り起こされると、第２段階に移る。
【００２４】
（２）第２段階
２４Ｂは第２段階における掘削区画であり、２５Ｂは第１段階の掘削区画２４Ａが空区画となった埋設区画である。まず、選別・減容装置４の搬入側（図５中右側）と掘削区画２４Ｂとが離れないように、かつ、選別・減容装置４の搬出側（図５中下側）と埋設区画２５Ｂとが離れないように、選別・減容装置４を配置移動する（本実施形態では、前述の図２に示す構成配置全体を、左廻りに９０度回転させて配置する）。そして、上述した第１段階同様、掘削区画２４Ｂから掘り起こされた廃棄物５を選別・減容装置４に搬入し（図５中矢印Ａ２参照）、自走式スクリーン選別装置６及び自走式破砕装置９等により選別・減容処理された廃棄物１５Ｓ，２２を埋設区画２５Ｂに搬出し埋め戻す（図５中矢印Ｂ２参照）。このような作業を繰り返し、第２段階における掘削区画２４Ｂの全域が掘り起こされると、第３段階に移る。
【００２５】
（３）第３段階
２４Ｃは第３段階における掘削区画（言い換えれば、第２段階において選別・減容装置４が配置されていた堆積区画２）であり、２５Ｃは上記掘削区画２４Ａ，２４Ｂが空区画となった埋設区画である。まず、選別・減容装置４を第２段階の埋設区画２５Ｂ（図６中左上斜線で図示）に配置移動する。このとき、選別・減容装置４の搬入側（図６中上側）と掘削区画２４Ｃとが離れないように、かつ、選別・減容装置４の搬出側（図６中右側）と埋設区画２５Ｃとが離れないように、選別・減容装置４を配置する（本実施形態では、前述の図２に示す構成配置全体を、１８０度回転させて配置する）。そして、上述した第１及び第２段階同様、掘削区画２４Ｃから掘り起こされた廃棄物５を選別・減容装置４に搬入し（図６中矢印Ａ３参照）、自走式スクリーン選別装置６及び自走式破砕装置９等により選別・減容処理した廃棄物１５Ｓ，２２を埋設区画２５Ｃに搬出し埋め戻す（図６中矢印Ｂ３参照）。このような作業を繰り返し、第３段階における掘削区画２４Ｃの全域が掘り起こされ埋設区画２５Ｃに埋め戻すと、廃棄物処分場の減容処理が終了する。
【００２６】
以上のように本実施形態においては、選別・減容装置４と埋立地１の掘削区画２４Ａ，２４Ｂ，２４Ｃとが離れないように、掘削区画の移動（２４Ａ→２４Ｂ→２４Ｃ）に伴って、選別・減容装置４の廃棄物搬入側すなわち自走式スクリーン選別装置６を配置移動させ、かつ、選別・減容装置４と埋立地１の埋設区画２５Ａ，２５Ｂ，２５Ｃとが離れないように、埋設区画の移動（２５Ａ→２５Ｂ→２５Ｃ）に伴って、選別・減容装置４の廃棄物搬出側すなわち自走式破砕装置を配置移動させる。これにより、選別・減容装置４と埋立地１の掘削区画２４Ａ，２４Ｂ，２４Ｃ及び埋設区画２５Ａ，２５Ｂ，２５Ｃとの搬送距離を短くすることができる。したがって、コンベアやトラック等の搬送手段の手間を軽減し、廃棄物処分場の減容化における作業性を向上することができる。
【図面の簡単な説明】
【００２７】
【図１】本発明の廃棄物処分場の減容処理方法の一実施形態が実施される埋立地の第１段階を表す平面図である。
【図２】本発明の廃棄物処分場の減容処理方法の一実施形態を説明するための選別・減容装置の配置構成を表す平面図である。
【図３】図２中矢印III方向から見た側面図である。
【図４】図２中矢印IV方向から見た側面図である。
【図５】本発明の廃棄物処分場の減容処理方法の一実施形態が実施される埋立地の第２段階を表す平面図である。
【図６】本発明の廃棄物処分場の減容処理方法の一実施形態が実施される埋立地の第３段階を表す平面図である。
【符号の説明】
【００２８】
１      埋立地
４      選別・減容装置
５      廃棄物
６      自走式スクリーン選別装置（選別装置）
９      自走式破砕装置（減容装置）
１１    投入口
１５Ｌ  大粒度廃棄物
１５Ｓ  小粒度廃棄物
１６    オーバーコンベア
１８    アンダーコンベア
２２    廃棄物
２３    搬出コンベア
２４Ａ，２４Ｂ，２４Ｃ  掘削区画
２５Ａ，２５Ｂ，２５Ｃ  埋設区画
Ａ１，Ａ２，Ａ３        搬入経路
Ｂ１，Ｂ２，Ｂ３        搬出経路
【図１】
2005118663.tif 000003
【図２】
2005118663.tif 000004
【図３】
2005118663.tif 000005
【図４】
2005118663.tif 000006
【図５】
2005118663.tif 000007
【図６】
2005118663.tif 000008